(57)【要約】      （修正有）【課題】２つの固定部の特殊な設計によって、工具袋の使用安全性を向上させ、袋本体部位置をベルト部上で簡単迅速に調整／定位できる工具袋構造を提供する。【解決手段】袋本体部１０が２つの固定部１２によりベルト部２０上に定位されるものを含み、この袋本体部が複数個の工具を入れる袋体１１を備え、２つの固定部にある押し下げエッジ１２４および突き上げエッジ１２３によって、ベルト部が袋本体部を連結して使用者の身体に巻き付けられる時、袋本体部を確実に定位して勝手にスライドすることがなく、工具袋の使用安全性を向上させるとともに、工具袋の位置を簡単迅速に調整／定位させるという効果を達成する。【選択図】図１
0003110145.tif 000002
【実用新案登録請求の範囲】
【請求項１】
袋本体部およびベルト部を含み、そのうち、
（ａ）前記袋本体部が正面と背面と左側端と右側端とを備えており、前記袋本体部には、前記袋本体部の正面に設けられる複数個の袋体と、
それぞれ前記袋本体部の前記背面上で前記左側端および前記右側端に近接した位置に設けられる２つの固定部とを設けていて、前記した２つの固定部には、それぞれ、
前記した２つの固定部を前記袋本体部の左右端に連接するために供せられる固定部材と、
前記した２つの固定部をそれぞれ貫通して設けられ、前記ベルト部を通過させるために供される通し孔と、
前記通し孔の外表面に形成されて、前記袋本体部の背面との間に第１距離を有する突き上げエッジと、
前記した２つの固定部の前記左側端および前記右側端に近接した一端にそれぞれ形成されて、前記袋本体部の背面との間に第２距離を有し、前記第２距離が前記第１距離よりも小さいものである押し下げエッジとを有しているとともに、
（ｂ）前記ベルト部が第１表面および第２表面を備えて、前記第１表面と前記第２表面との間に一定の厚さを有し、前記厚さが前記第１距離および前記第２距離を相互に減算した後の値よりも大きいものであって、前記袋本体部を使用者に連結するために供されるものである工具袋構造。
【請求項２】
上記した複数個の袋体が、工具を入れるために提供されるものである請求項１記載の工具袋構造。
【請求項３】
上記ベルト部が、両端を有しており、そのうちの一端にバックルを設けたものである請求項１記載の工具袋構造。
【考案の詳細な説明】
【技術分野】
【０００１】
この考案は、工具袋構造に関し、特に、工具袋の使用安全性を向上させると同時に工具袋位置の迅速な調整／定位に便利な効果を発揮する工具袋構造に関する。
【背景技術】
【０００２】
図７から図９において、従来の工具袋構造を示すと、
（ａ）袋本体部８０が、複数個の袋体８１を設けて、ハンマー、ペンチ、ビス、ドライバー、釘などの工具を入れるために提供されており；
少なくとも２つの吊り帯８２が、前記袋本体部８０の背面に連結されているとともに、
（ｂ）ベルト部９０が、２つの吊り帯８２の内側を通過して前記袋本体部８０に連結されている。
これが従来の工具袋構造の１つである。
【考案の開示】
【考案が解決しようとする課題】
【０００３】
このような工具袋構造の設計は、もとより袋本体部８０をベルト部９０上でスライドさせるには便利であるけれども、使用者７０が作業のために身体を傾斜あるいは工事現場を速やかに移動する時、その袋本体部８０が使用者７０の身体移動に伴って勝手にスライドするものとなり、おそらく軸線Ｘまたは軸線Ｙに沿ってベルト部９０上を移動もしくは上下動するものとなるので、このような袋本体部８０の勝手な移動または上下動のために、釘やハンマーなどの工具が袋体８１から飛び出す事態を引き起こすから、とりわけビルの足場で施行する時には更に危険なものとなる。
【０００４】
もちろん、従来においても、ほぞ
0003110145.tif 000003
止めあるいはホックで袋本体部をベルト上に定位する（図示していない）構造のものがあるが、このような構造では、両手でほぞ止め（またはホック）と袋本体部とをそれぞれ調整して初めて袋本体部のベルト上の位置を調整することができるために、両手を使って足場を登っている使用者には極めて不便であるとともに、使用者が手を伸ばして袋本体部を引っぱったために、落下事故となる重大な障害をも引き起こすものとなる故に、従来構造の欠点を解決することができる理想的な工具袋構造を提出する必要がある。
【０００５】
そこで、この考案の主要な目的は、２つの固定部の特殊な設計によって、工具袋の使用安全性を向上させる工具袋構造を提供することにある。この考案の次の目的は、２つの固定部の特殊な設計によって、袋本体部とベルト部との簡略かつ確実な連結を達成する工具袋構造を提供することにある。この考案の別な目的は、２つの固定部の特殊な設計によって、片手で袋本体部位置をベルト部上で迅速に調整／定位することのできる工具袋構造を提供することにある。
【課題を解決するための手段】
【０００６】
上記課題を解決し、所望の目的を達成するために、この考案にかかる工具袋構造は、袋本体部およびベルト部を含み、そのうち、
（ａ）前記袋本体部が正面と背面と左側端と右側端とを備えており、前記袋本体部には、前記袋本体部の正面に設けられる複数個の袋体と、
それぞれ前記袋本体部の前記背面上で前記左側端および前記右側端に近接した位置に設けられる２つの固定部とを設けていて、前記した２つの固定部には、それぞれ、
前記した２つの固定部を前記袋本体部の左右端に連接するために供せられる固定部材と、
前記した２つの固定部をそれぞれ貫通して設けられ、前記ベルト部を通過させるために供される通し孔と、
前記通し孔の外表面に形成されて、前記袋本体部の背面との間に第１距離を有する突き上げエッジと、
前記した２つの固定部の前記左側端および前記右側端に近接した一端にそれぞれ形成されて、前記袋本体部の背面との間に第２距離を有し、前記第２距離が前記第１距離よりも小さいものである押し下げエッジとを有しているとともに、
（ｂ）前記ベルト部が第１表面および第２表面を備えて、前記第１表面と前記第２表面との間に一定の厚さを有し、前記厚さが前記第１距離および前記第２距離を相互に減算した後の値よりも大きいものであって、前記袋本体部を使用者に連結するために供されるものである。
【考案の効果】
【０００７】
この考案の工具袋構造は、次のような利点がある。
[1].工具袋の使用安全性を向上させる。本考案の袋本体部およびベルト部は、いずれも堅牢な構造であるうえに、ベルト部と袋本体部との間の優良な定位効果によって、使用者が身体を斜めにしてビルの足場で作業する時、袋本体部がベルト部上で勝手にスライドし工具または釘などが袋本体部から飛び出して地面に落下するという重大な危険性を防止することができ、公共の安全を確実に向上させるので、極めてパテント要件に適合するものである。
[2].操作が簡単迅速で構造が簡単確実なスライド定位設計である。本考案は、特殊な設計による２つの固定部により、いかなるほぞ
0003110145.tif 000004
止めなども必要とすることなく、袋本体部をベルト部上にしっかりと定位することができ、しかもベルト部の所定部位を袋本体部との接触から解放するだけで、容易に袋本体部の位置をベルト部上でスライド調整することができるから、片手で工具袋位置の移動／定位を行うことができ、構造が簡単で操作が迅速なものとなる。
【考案を実施するための最良の形態】
【０００８】
以下、この考案を実施するための最良の形態を図面に基づいて説明する。
図１から図３において、この考案は、一種の工具袋構造であって、袋本体部１０およびベルト部２０を含み、そのうち、
（ａ）前記袋本体部１０が正面１０１と背面１０２と左側端１０３と右側端１０４とを備えており、前記袋本体部１０には、前記袋本体部１０の正面１０１に設けられ、例えば、ハンマー、ペンチ、ビス、釘などの工具を入れるために供される複数個の袋体１１と、
それぞれ前記袋本体部１０の前記背面１０２上で前記左側端１０３および前記右側端１０４に近接した位置に設けられる２つの固定部１２，１２とを設けていて、前記した２つの固定部１２，１２には、それぞれ、
前記した２つの固定部１２を前記袋本体部１０に連接するために供せられる固定部材１２１（本考案の最適な実施例では２個）と、
前記した２つの固定部１２，１２をそれぞれ貫通して設けられ、前記ベルト部２０を通過させるために供される通し孔１２２と、
前記通し孔１２２の外表面に形成されて、前記袋本体部１０の背面１０２との間に第１距離X1を有する突き上げエッジ１２３と、
前記した２つの固定部１２，１２の前記左側端１０３および前記右側端１０４に近接した一端にそれぞれ形成されて、前記袋本体部１０の背面１０２との間に第２距離X2を有し、前記第２距離X2が前記第１距離X1よりも小さいものである押し下げエッジ１２４とを有しているとともに、
（ｂ）前記ベルト部２０が第１表面２１および第２表面２２を備えて、前記第１表面２１と前記第２表面２２との間に一定の厚さＳを有し、前記厚さＳが前記第１距離および前記第１距離X1を相互に減算した後の値よりも大きいものであって、前記袋本体部１０を使用者に連結するために供されるものである。以上が本考案の工具袋構造である。
【０００９】
なお、この考案の工具袋構造は、実施において、以下のような特徴がある：
先ず、ベルト部２０の第１表面２１を１つの固定部１２の押し下げエッジ１２４に沿ってスライドさせるものであって、ベルト部２０の一端を袋本体部１０の背面１０２と固定部１２との間に差し入れてから、引き続き、ベルト部２０の一端を通し孔１２２に通すとともに、ベルト部２０の一端の第２表面２２を突き上げエッジ１２３に沿ってスライドさせ、１つの固定部１２から引き出す。
【００１０】
次に、ベルト部２０の一端をもう１つの固定部１２の通し孔１２２に差し入れてから、その第２表面２２を突き上げエッジ１２３に沿ってスライドさせ、その第１表面を押し下げエッジ１２４に沿って通過させて、１つの固定部１２から引き出す。
【００１１】
そして、ベルト部２０の他端の所定位置にバックル２３を設けて、ベルト部２０により袋本体部１０を使用者７０の身体に巻き付けるようにし、本考案の袋本体部１０が使用者７０とともに移動するものとなる。
【００１２】
図４と図５とにおいて、さらに詳細には、本考案のベルト部２０は、全体がぎゅっと締められて袋本体部１０を使用者７０の身体に巻き付けるので、少なくとも以下のような固定状態となる： 
[A]. 使用者７０が第１外力P1でベルト部２０を押すと、ベルト部２０の第１表面２１が安定的に使用者７０の身体上に定位されて、勝手にスライドすることがない。
[B]. 使用者７０が第１外力P1でベルト部２０を押すと、ベルト部２０の第２表面２２が安定的に袋本体部１０の背面１０２に接触するので、勝手にスライドしない。
[C]. ベルト部２０をぎゅっと締め付けると第２外力P2が発生して、ベルト部２０の第２表面２２が固定部１２，１２の突き上げエッジ１２３，１２３でしっかりと突き上げられて、勝手にスライドしない。
[D]. ベルト部２０をぎゅっと締め付けると第２外力P2が発生して、ベルト部２０の第１表面２１が固定部１２，１２の押し下げエッジ１２４，１２４で安定的にしっかりと押し下げられて定位される。
【００１３】
とりわけ、突き上げエッジ１２３と袋本体部１０の背面１０２との間のある第１距離X1（図３を参照）は、押し下げエッジ１２４と袋本体部１０の背面１０２との間のある第２距離X2より大きく、かつ第１距離X1および第２距離X2を相互に減算した後の値がベルト部２０の厚さＳ（図１を参照）より小さいので、ベルト部２０は、上述した４つの条件が同時に成立する状態において、その第１表面２１および第２表面２２間で更に多くの更に大きい折り曲げ角度を発生させて、袋本体部１０がベルト部２０の第１表面２１および第２表面上にしっかりと定位され、勝手にスライドしない。
【００１４】
図６において、袋本体部１０をベルト部２０上でスライドさせたい時には、第３外力P3（例えば指先で押し広げること）でベルト部２０の第２表面２２を矢印方向へ押すだけで、袋本体部１０の背面１０２への接触を解放することができ、袋本体部１０をベルト部２０にしっかりと定位していた４つの条件をなくすことにより、ベルト部２０の第１表面２１および第２表面２２間にあった折り曲げ角度を少なくかつ小さくすることができるから、第３外力P3を発生させた指先と同じ片手で容易に袋本体部１０の位置を調整／定位することができる。
【００１５】
もちろん、袋本体部全体およびベルト部に定位している力より大きな力で押せば、袋本体部の位置をベルト部上でスライド調整できるが、本考案のようにすれば、使用者が大きな力を出すよりも便利なものとなる。
【００１６】
以上のごとく、この考案を好適な実施例により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案登録請求の範囲および、それと均等な領域を基準として定めなければならない。
【図面の簡単な説明】
【００１７】
【図１】この考案にかかる好適な実施例を示す斜視図である。
【図２】この考案の好適な実施例にかかる要部断面表示の平面図である。
【図３】この考案の好適な実施例にかかる固定部を示す要部断面図である。
【図４】この考案にかかる好適な実施例の説明図１である。
【図５】この考案にかかる好適な実施例の説明図２である。
【図６】この考案にかかる好適な実施例の説明図３である。
【図７】従来構造を示す斜視図である。
【図８】従来構造を示す要部断面図である。
【図９】従来構造を示す説明図である。
【符号の説明】
【００１８】
１０  袋本体
１１  袋体
１２  固定部
１０１  正面
１０２  背面
１０３  左側端
１０４  右側端
１２１  固定部材
１２２  通し孔
１２３  突き上げエッジ
１２４  押し下げエッジ
２０  ベルト部
２１  第１表面
２２  第２表面
２３  バックル
７０  使用者
Ｓ  厚さ
X1  第１距離
X2  第２距離
P1  第１外力
P2  第２外力
P3  第３外力
【図１】
0003110145.tif 000005
【図２】
0003110145.tif 000006
【図３】
0003110145.tif 000007
【図４】
0003110145.tif 000008
【図５】
0003110145.tif 000009
【図６】
0003110145.tif 000010
【図７】
0003110145.tif 000011
【図８】
0003110145.tif 000012
【図９】
0003110145.tif 000013